(57)【要約】【課題】不正な負荷による破損を格段と確実に防止し得るようにする。【解決手段】回転開閉型携帯電話機１においては、上側プッシュスイッチ１２Ａ及び下側プッシュスイッチ１２Ｂを介して、回転軸６の軸回り方向Ｄ１と異なる方向への負荷を検知したとき、表示部２、ＬＥＤ７及びスピーカ８を介して所定の警告を発するようにした。これにより、回転開閉型携帯電話機１に対してかかる負荷が過度にかけられてしまうことを格段と確実に回避することができる。【選択図】        図３
2004242036.tif 000002
【特許請求の範囲】
【請求項１】
第１の筐体と、
第２の筐体と、
上記第１の筐体及び上記第２の筐体を所定の回転方向へ回転可能に連結する回転軸と、
上記第１の筐体及び上記第２の筐体に対して加えられた上記回転方向とは異なる方向への負荷を検知する検知手段と、
上記検知手段によって上記負荷を検知したとき、所定の警告を発する警告手段と
を具えることを特徴とする携帯端末装置。
【請求項２】
上記検知手段は、
上記第１の筐体における上記回転軸の接続部分の周辺に設けられたスイッチと、
上記第２の筐体における上記スイッチと対向する位置に設けられたスイッチ押下部と
を有し、
上記スイッチ押下部によって上記スイッチが押下されると、上記第１の筐体及び上記第２の筐体に対して上記負荷が加えられたと判断することにより、上記負荷を検知する
ことを特徴とする請求項１に記載の携帯端末装置。
【請求項３】
上記警告手段は、
上記検知手段によって検知した上記負荷の方向に応じた内容の警告を発する
ことを特徴とする請求項１に記載の携帯端末装置。
【請求項４】
上記警告手段は、
警告画面を表示する表示手段、警告音を放音する放音手段、光を発光する発光手段の何れか、又はこれらの組み合わせによって構成される
ことを特徴とする請求項１に記載の携帯端末装置。
【発明の詳細な説明】
【０００１】
【発明の属する技術分野】
本発明は携帯端末装置に関し、例えば、携帯電話機に適用して好適なものである。
【０００２】
【従来の技術】
従来、表示部を有する筐体（以下、これを表示部筐体と呼ぶ）と操作部を有する筐体（以下、これを操作部筐体と呼ぶ）とがヒンジ部を介して折畳可能に構成されてなる携帯電話機（以下、これを折畳型携帯電話機と呼ぶ）が広く市販されている。
【０００３】
この折畳型携帯電話機においては、例えばユーザによって、表示部が配設されている表示部筐体の一面（以下、これを表示部面と呼ぶ）と操作部が配設されている操作部筐体の一面（以下、これを操作部面と呼ぶ）とを向き合わせる力が加えられると、表示部筐体と操作部筐体とが重なり合った状態（以下、これを閉状態と呼ぶ）となる。
【０００４】
そして、このような閉状態にある折畳型携帯電話機においては、例えばユーザによって、表示部筐体の表示部面を操作部筐体の操作部面から引離す力が加えられると、表示部筐体と操作部筐体とが所定角度を成して展開した状態（以下、これを開状態と呼ぶ）となり、表示部面及び操作部面が露出するようになされている。
【０００５】
一方、表示部筐体と操作部筐体とが回転軸を介して連結されて構成された携帯電話機（以下、これを回転開閉型携帯電話機と呼ぶ）が考案されている（例えば、特許文献１）。
【０００６】
この回転開閉型携帯電話機においては、例えば、表示部筐体と操作部筐体とが重なり合う閉状態時、表示部筐体の表示部面が露出し、当該表示部面の裏側の一面（以下、これを操作部被覆面と呼ぶ）が、操作部筐体の操作部面を覆うようになされている。
【０００７】
そして、このような閉状態にある回転開閉型携帯電話機においては、例えばユーザによって、操作部筐体が固定されつつ表示部筐体に対して回転軸の軸回り方向への力が加えられると、表示部筐体が操作部筐体に対して回転することにより、この結果として、表示部筐体と操作部筐体とが展開した開状態となるようになされている。
【０００８】
【特許文献１】
特開平７−２８８８６０号公報（図１、図２）
【０００９】
【発明が解決しようとする課題】
ところで、閉状態にある回転開閉型携帯電話機は、その外観形状が一見して閉状態にある折畳型携帯電話機と近似していることにより、ユーザによって折畳型携帯電話機と勘違いされてしまう可能性がある。
【００１０】
これにより、閉状態にある回転開閉型携帯電話機においては、例えばユーザによって開状態とされる際、操作部筐体が固定されつつ表示部筐体に対して軸回り方向への力が加えられるのではなく、表示部筐体の操作部被覆面を操作部筐体の操作部面から引離す力が加えられる可能性がある。
【００１１】
ここで、回転開閉型携帯電話機においては、このように表示部筐体の操作部被覆面を操作部筐体の操作部面から引離す力が加えられたとしても、構造上の要因により表示部筐体及び操作部筐体がほとんど可動し得ず、かくして、回転開閉型携帯電話機にとって不正な負荷がかけられた状態となってしまう。
【００１２】
そして、このような不正な負荷が過度にかけられてしまうと、回転開閉型携帯電話機の表示部筐体や操作部筐体、回転軸等が破損しかねないという問題があった。
【００１３】
本発明は以上の点を考慮してなされたもので、不正な負荷による破損を格段と確実に防止し得る携帯端末装置を提案しようとするものである。
【００１４】
【課題を解決するための手段】
かかる課題を解決するために本発明においては、第１の筐体と、第２の筐体と、第１の筐体及び第２の筐体を所定の回転方向へ回転可能に連結する回転軸と、第１の筐体及び第２の筐体に対して加えられた回転方向とは異なる方向への負荷を検知する検知手段と、当該検知手段によって負荷を検知したとき、所定の警告を発する警告手段とを設けるようにした。
【００１５】
回転方向とは異なる方向への負荷を検知したとき所定の警告を発するようにしたことにより、当該負荷が過度にかけられてしまうことを格段と確実に回避することができる。
【００１６】
【発明の実施の形態】
以下図面について、本発明の一実施の形態を詳述する。
【００１７】
（１）回転開閉型携帯電話機の構成
図１及び図２において、１は全体として回転開閉型携帯電話機を示し、当該回転開閉型携帯電話機１は、例えば、液晶ディスプレイ等でなる表示部２を有する筐体（以下、これを表示部筐体と呼ぶ）３の下端部と、「０」〜「９」、「＃」及び「＊」等の各種キーからなる操作部４を有する筐体（以下、これを操作部筐体と呼ぶ）５の上端部とが、回転軸６を介して当該回転軸６の軸回り方向（矢印Ｄ１で示す方向）へ回転可能に連結されている。
【００１８】
表示部筐体３において、その上端部にはＬＥＤ（Ｌｉｇｈｔ  Ｅｍｉｔｔｉｎｇ  Ｄｉｏｄｅ）７が配設されている。また、表示部筐体３において、表示部２が配設されている一面（以下、これを表示部面と呼ぶ）ＳＦ１の上側にはスピーカ８が配設されており、当該表示部面ＳＦ１の下側には回転操作及び押圧操作可能なジョグダイヤル９が配設されている。
【００１９】
一方、操作部筐体５において、操作部４が配設されている一面（以下、これを操作部面と呼ぶ）ＳＦ２の下側には、マイクロフォン１０が配設されている。
【００２０】
この回転開閉型携帯電話機１においては、表示部筐体３と操作部筐体５とが重なり合う閉状態（図１）となると、表示部筐体３の表示部面ＳＦ１が露出すると共に、操作部筐体５における操作部面ＳＦ２が、表示部筐体３における表示部面ＳＦ１の裏側の一面（図２：以下、これを操作部被覆面と呼ぶ）ＳＦ３によって覆われるようになされている。
【００２１】
このような閉状態にある回転開閉型携帯電話機１においては、例えばユーザによって、操作部筐体５が固定されつつ表示部筐体３に対して軸回り方向Ｄ１への力が加えられると、表示部筐体３及び操作部筐体５が回転軸６を中心として展開することにより、表示部筐体３の表示部面ＳＦ１と共に操作部筐体５の操作部面ＳＦ２が露出した開状態（図２）となり、この結果、操作部４及びマイクロフォン１０等をユーザに利用させ得るようになされている。
【００２２】
そして、このような開状態にある回転開閉型携帯電話機１においては、例えばユーザによって操作部筐体５が固定されつつ表示部筐体３に対して軸回り方向Ｄ１への力が加えられると、表示部筐体３と操作部筐体５とが重なり合う閉状態に戻るようになされている。
【００２３】
ところで、回転軸６は、例えば図３及び図４に示すように、表示部筐体３の内壁Ｗ１に対して固定されている固定板部６Ａ及び円柱形状でなる軸部６Ｂを有し、当該軸部６Ｂは、固定板部６Ａから当該表示部筐体３に穿設された第１の回転軸挿通孔３Ａを通過して表示部筐体３の外部へ延長し、操作部筐体５に穿設された第２の回転軸挿通孔５Ａを通過して操作部筐体５の内部へ挿入されている。
【００２４】
ここで操作部筐体５の内部には、例えば、図５にも合わせて示すように、断面がほぼＶ字状でなる板ばね１１が設けられており、当該板ばね１１は、操作部筐体５内部の内部基板５Ｂに対して固着されている固着板部１１Ａと、浮動板部１１Ｂとを有している。
【００２５】
この浮動板部１１Ｂに対しては、操作部筐体５に穿設された第２の回転軸挿通孔５Ａと対応する位置に嵌合孔１１Ｃが穿設されている。そしてこの嵌合孔１１Ｃに対しては、回転軸６の軸部６Ｂの中央部分に形成されたくぼみ部６Ｃが嵌め合わされるようになされている。
【００２６】
この結果、板ばね１１の付勢力によって回転軸６全体が上方に持ち上げられ、これにより、操作部筐体５の操作部面ＳＦ２と表示部筐体３の操作部被覆面ＳＦ３との間に間隙ＧＰが生じるようになされている。
【００２７】
そして、閉状態にある回転開閉型携帯電話機１においては、例えば、図６に示すように、ユーザによって、操作部筐体５が固定されつつ表示部筐体３に対して当該表示部筐体３の操作部被覆面ＳＦ３を操作部筐体５の操作部面ＳＦ２から引離す方向（矢印Ｄ２で示す方向）への負荷がかけられると、表示部筐体３の内壁Ｗ１に固定されている回転軸６は、軸部６Ｂのくぼみ部６Ｃによって浮動板部１１Ｂを下方へ押圧することにより、所定角度だけ傾き得るようになされている。
【００２８】
また、開状態にある回転開閉型携帯電話機１においては、例えば、図７に示すように、ユーザによって、操作部筐体５が固定されつつ表示部筐体３に対して当該表示部筐体３の表示部面ＳＦ１と操作部筐体５の操作部面ＳＦ２とを向き合わせる方向（矢印Ｄ３で示す方向）への負荷がかけられると、表示部筐体３の内壁Ｗ１に固定されている回転軸６は、軸部６Ｂのくぼみ部６Ｃによって浮動板部１１Ｂを上方へ引き上げることにより、所定角度だけ傾き得るようになされている。
【００２９】
さらに、開状態にある回転開閉型携帯電話機１においては、例えば、図８に示すように、ユーザによって、操作部筐体５が固定されつつ表示部筐体３に対して当該表示部筐体３の表示部面ＳＦ１を操作部筐体５の操作部面ＳＦ２から引離す方向（矢印Ｄ４で示す方向）への負荷がかけられると、表示部筐体３の内壁Ｗ１に固定されている回転軸６は、軸部６Ｂのくぼみ部６Ｃによって浮動板部１１Ｂを下方へ押圧することにより、所定角度だけ傾き得るようになされている。
【００３０】
かくするにつき、例えばユーザによって閉状態から開状態とされる際又は開状態から閉状態とされる際、操作部筐体５が固定されつつ表示部筐体３に対して回転軸６の軸回り方向Ｄ１への力が加えられるべきところ、当該軸回り方向Ｄ１以外の方向（例えば、方向Ｄ２、Ｄ３又はＤ４）への不正な負荷がかけられてしまった場合であっても、この方向に応じて回転軸６が傾くことにより、操作部筐体５や表示部筐体３、回転軸６等が容易に破損してしまうことを回避し得るようになされている。
【００３１】
ところで、図３に示すように、操作部筐体５の操作部面ＳＦ２において、第２の回転軸挿通孔５Ａの上側及び下側には、それぞれプッシュスイッチ（以下、これを上側プッシュスイッチと呼ぶ）１２Ａ及びプッシュスイッチ（以下、これを下側プッシュスイッチと呼ぶ）１２Ｂが配設されている。
【００３２】
一方、同じく図３に示すように、表示部筐体３の操作部被覆面ＳＦ３において、第１の回転軸挿通孔３Ａの上側及び下側には、上側プッシュスイッチ１２Ａ又は下側プッシュスイッチ１２Ｂを押下するための突起がスイッチ押下部（以下、これを上側スイッチ押下部と呼ぶ）１３Ａ及びスイッチ押下部（以下、これを下側スイッチ押下部と呼ぶ）１３Ｂとして設けられている。
【００３３】
そして開状態（図３）においては、上側スイッチ押下部１３Ａが上側プッシュスイッチ１２Ａと、下側スイッチ押下部１３Ｂが下側プッシュスイッチ１２Ｂと僅かな距離を置いてほぼ対向するようになされており、閉状態（図４）においては、上側スイッチ押下部１３Ａが下側プッシュスイッチ１２Ｂと、下側スイッチ押下部１３Ｂが上側プッシュスイッチ１２Ａと僅かな距離を置いてほぼ対向するようになされている。
【００３４】
従って、閉状態にある回転開閉型携帯電話機１においては、例えば、図６に示すように、ユーザによって、操作部筐体５が固定されつつ表示部筐体３に対して当該表示部筐体３の操作部被覆面ＳＦ３を操作部筐体５の操作部面ＳＦ２から引離す方向Ｄ２への不正な負荷がかけられると、下側スイッチ押下部１３Ｂによって上側プッシュスイッチ１２Ａが押下されるようになされている。
【００３５】
また、開状態にある回転開閉型携帯電話機１においては、例えば、図７に示すように、ユーザによって、操作部筐体５が固定されつつ表示部筐体３に対して当該表示部筐体３の表示部面ＳＦ１と操作部筐体５の操作部面ＳＦ２とを向き合わせる方向Ｄ３への不正な負荷がかけられると、下側スイッチ押下部１３Ｂによって下側プッシュスイッチ１２Ｂが押下されるようになされており、これに対して、図８に示すように、操作部筐体５が固定されつつ表示部筐体３に対して当該表示部筐体３の表示部面ＳＦ１を操作部筐体５の操作部面ＳＦ２から引離す方向Ｄ４への不正な負荷がかけられると、上側スイッチ押下部１３Ａによって上側プッシュスイッチ１２Ａが押下されるようになされている。
【００３６】
次に、回転開閉型携帯電話機１の回路構成について図９を用いて説明する。すなわち、回転開閉型携帯電話機１は、当該回転開閉型携帯電話機１全体を統括的に制御するＣＰＵ（Ｃｅｎｔｒａｌ  Ｐｒｏｃｅｓｓｉｎｇ  Ｕｎｉｔ）２０に対し、制御ライン２１を介してＲＡＭ（Ｒａｎｄｏｍ  Ａｃｃｅｓｓ  Ｍｅｍｏｒｙ）２２、ＲＯＭ（Ｒｅａｄ  Ｏｎｌｙ  Ｍｅｍｏｒｙ）２３、操作部４、スイッチ押下検知部２４及び無線通信を行うための通信処理部２５が接続されて構成されている。またＣＰＵ２０、ＲＡＭ２２、ＲＯＭ２３、通信処理部２５、表示部２、マイクロフォン１０及びスピーカ８はデータライン２６を介して互いに接続されている。
【００３７】
ここでＲＯＭ２３には、基本プログラムや不正負荷警告プログラム（後述する）等の各種プログラムが格納されている。ＣＰＵ２０は、ＲＯＭ２３に格納されたこれら各種プログラムを適宜読み出し、これをＲＡＭ２２に展開して実行することにより、回転開閉型携帯電話機１の各回路部を制御して各種処理を実行するようになされている。
【００３８】
スイッチ押下検知部２４は、上側プッシュスイッチ１２Ａ及び下側プッシュスイッチ１２Ｂのそれぞれが押下された旨及びその押下量を検知し、当該検知結果をＣＰＵ２０に対して通知する。これによりＣＰＵ２０は、スイッチ押下検知部２４を介して上側プッシュスイッチ１２Ａ及び下側プッシュスイッチ１２Ｂのそれぞれが僅かに押下されたのか又は全て押下されたのかを認識し得るようになされている。
【００３９】
（２）不正負荷警告処理手順
次に、回転開閉型携帯電話機１に対して不正な負荷がかけられているときにこれを警告する不正負荷警告処理について説明する。
【００４０】
実際上、ＣＰＵ２０は、回転開閉型携帯電話機１が閉状態、若しくは開状態となっているのかを常時検知しており、閉状態と検知しているときには、不正負荷警告プログラムに従って閉状態時の不正負荷警告処理手順ＲＴ１（図１０）を実行し、これに対して開状態と検知しているときには、不正負荷警告プログラムに従って開状態時の不正負荷警告処理手順ＲＴ２（図１１）を実行するようになされている。
【００４１】
（２−１）閉状態時の不正負荷警告処理手順
ここでは最初に、閉状態時の不正負荷警告処理手順ＲＴ１について図１０を用いて説明する。
【００４２】
すなわちステップＳＰ１においてＣＰＵ２０は、スイッチ押下検知部２４を介して上側プッシュスイッチ１２Ａが押下されたか否かを判定する。
【００４３】
ここで肯定結果が得られると、このことは、例えば、ユーザによって操作部筐体５が固定されつつ表示部筐体３に対し軸回り方向Ｄ１への力が加えられているのではなく、図６に示すように、操作部筐体５が固定されつつ表示部筐体３に対して表示部筐体３の操作部被覆面ＳＦ３を操作部筐体５の操作部面ＳＦ２から引き離す方向Ｄ２への力が加えられている状態であることを意味しており、このときＣＰＵ２０は、回転開閉型携帯電話機１に対して不正な負荷がかけられていると判断し、次のステップＳＰ２へ移る。
【００４４】
これに対して否定結果が得られると、このことは、例えば、表示部筐体３及び操作部筐体５に対して力が加えられていない、若しくは操作部筐体５が固定されつつ表示部筐体３に対して軸回り方向Ｄ１への力が加えられている状態であることを意味しており、このときＣＰＵ２０は、回転開閉型携帯電話機１に対して不正な負荷がかけられていないと判断して、ステップＳＰ１へ戻るようになされている。
【００４５】
ステップＳＰ２においてＣＰＵ２０は、例えば図１２（Ａ）に示すように、表示部２に対して「その方向に開けないで下さい」という警告文が記された警告画面４０を表示すると共に、スピーカ８から「その方向に開けないで下さい」という警告音を出力し、加えてＬＥＤ７を点滅発光させることにより、ユーザに対して回転開閉型携帯電話機１にかけられている不正な負荷を解除するように警告した後、ステップＳＰ１に戻るようになされている。
【００４６】
このように回転開閉型携帯電話機１においては、例えば、ユーザが当該回転開閉型携帯電話機１を閉状態から開状態とする際、操作部筐体５を固定しつつ表示部筐体３に対して回転軸６の軸回り方向Ｄ１への力を加えるべきところ、誤って表示部筐体３の操作部被覆面ＳＦ３を操作部筐体５の操作部面ＳＦ２から引き離す方向Ｄ２への力を加えてしまい、この結果として、回転開閉型携帯電話機１に不正な負荷がかけられた状態となると、ユーザに対して当該負荷を解除するように警告するようになされている。この結果、このような不正な負荷が過度にかけられてしまうことを回避することができる。
【００４７】
（２−２）開状態時の不正負荷警告処理手順
次に、開状態時の不正負荷警告処理手順について図１１を用いて説明する。
【００４８】
すなわちステップＳＰ１０においてＣＰＵ２０は、スイッチ押下検知部２４を介して下側プッシュスイッチ１２Ｂが押下されたか否かを判定する。
【００４９】
ここで肯定結果が得られると、このことは、例えば、操作部筐体５が固定されつつ表示部筐体３に対して軸回り方向Ｄ１への力が加えられているのではなく、図７に示すように、表示部筐体３の表示部面ＳＦ１と操作部筐体５の操作部面ＳＦ２とを向き合わせる方向Ｄ３への力が加えられている状態であることを意味しており、このときＣＰＵ２０は、回転開閉型携帯電話機１に対して不正な負荷がかけられていると判断し、次のステップＳＰ１１へ移る。
【００５０】
これに対して否定結果が得られると、このことは、表示部筐体３の表示部面ＳＦ１と操作部筐体５の操作部面ＳＦ２とを向き合わせる方向Ｄ３への力が加えられていない状態であることを意味しており、このときＣＰＵ２０は、次のステップＳＰ１１をスキップしてステップＳＰ１２へ移るようになされている。
【００５１】
ステップＳＰ１１においてＣＰＵ２０は、例えば図１２（Ｂ）に示すように、表示部２に対して「その方向に閉めないで下さい」という警告文が記された警告画面４１を表示すると共に、スピーカ８から警告音として「その方向に閉めないで下さい」という警告音を出力し、加えてＬＥＤ７を点滅発光させることにより、ユーザに対して回転開閉型携帯電話機１にかけられている不正な負荷を解除するように警告し、次のステップＳＰ１２へ移る。
【００５２】
このように回転開閉型携帯電話機１においては、例えば、ユーザが当該回転開閉型携帯電話機１を開状態から閉状態とする際、操作部筐体５を固定しつつ表示部筐体３に対して回転軸６の軸回り方向Ｄ１への力を加えるべきところ、誤って表示部筐体３の表示部面ＳＦ１と操作部筐体５の操作部面ＳＦ２とを向き合わせる方向Ｄ３への力を加えてしまい、この結果として、回転開閉型携帯電話機１に不正な負荷がかけられた状態となると、ユーザに対して当該負荷を解除するように警告するようになされている。この結果、このような不正な負荷が過度にかけられてしまうことを回避することができる。
【００５３】
ステップＳＰ１２においてＣＰＵ２０は、スイッチ押下検知部２４を介して上側プッシュスイッチ１２Ａが僅かに押下されたか否かを判定する。
【００５４】
ここで肯定結果が得られると、このことは、例えば、ユーザによって、操作部筐体５が固定されつつ表示部筐体３に対して軸回り方向Ｄ１への力が加えられているのではなく、図８に示すように、操作部筐体５が固定されつつ表示部筐体３に対して表示部筐体３の表示部面ＳＦ１を操作部筐体５の操作部面ＳＦ２から引き離す方向Ｄ４への力が僅かに加えられている状態であることを意味しており、このときＣＰＵ２０は、僅かながらも回転開閉型携帯電話機１に対して不正な負荷がかけられていると判断し、次のステップＳＰ１３へ移る。
【００５５】
これに対して否定結果が得られると、このことは、表示部筐体３の表示部面ＳＦ１を操作部筐体５の操作部面ＳＦ２から引き離す方向Ｄ４への力が加えられていない状態であることを意味しており、このときＣＰＵ２０は、ステップＳＰ１０へ戻るようになされている。
【００５６】
ステップＳＰ１３においてＣＰＵ２０は、例えば、「その方向に開けないで下さい」という警告文が記された警告画面４０（図１２（Ａ））を表示部２に対して表示すると共に、スピーカ８から「その方向に開けないで下さい」という警告音を出力し、加えてＬＥＤ７を点滅発光させることにより、ユーザに対して回転開閉型携帯電話機１にかけられている不正な負荷を解除するように警告し、次のステップＳＰ１４へ移る。
【００５７】
ステップＳＰ１４においてＣＰＵ２０は、スイッチ押下検知部２４を介して上側プッシュスイッチ１２Ａが全て押下されたか否かを判定する。
【００５８】
ここで肯定結果が得られると、このことは、例えば、ユーザによって、操作部筐体５が固定されつつ表示部筐体３に対して表示部筐体３の表示部面ＳＦ１を操作部筐体５の操作部面ＳＦ２から引き離す方向Ｄ４への力が僅かに加えられていた状態から、当該引き離す方向Ｄ４への力が更に加えられている状態となったことを意味しており、このときＣＰＵ２０は、回転開閉型携帯電話機１に対して更なる不正な負荷がかけられたことによって表示部筐体３、操作部筐体５及び回転軸６等が破損する可能性が高まったと判断し、次のステップＳＰ１５へ移る。
【００５９】
ステップＳＰ１５においてＣＰＵ２０は、例えば図１２（Ｃ）に示すように、表示部２に対して「壊れる可能性があるのでその方向に開けないで下さい」という警告文が記された警告画面４２を表示すると共に、スピーカ８から「壊れる可能性があるのでその方向に開けないで下さい」という警告音を出力し、加えてＬＥＤ７を更に速く点滅発光させることにより、ユーザに対して回転開閉型携帯電話機１にかけられている不正な負荷を解除するように強く警告した後、ステップＳＰ１０へ戻るようになされている。
【００６０】
このように回転開閉型携帯電話機１においては、開状態時、例えばユーザによって、操作部筐体５を固定しつつ表示部筐体３に対して回転軸６の軸回り方向Ｄ１への力が加えられるのではなく、表示部筐体３の表示部面ＳＦ１を操作部筐体５の操作部面ＳＦ２から引き離す方向Ｄ４への力が僅かに加えられることにより、回転開閉型携帯電話機１に僅かながらも不正な負荷がかけられた状態となると、この時点でユーザに対し当該負荷を解除するように警告する。
【００６１】
この後、当該警告を発したのにもかかわらず、ユーザによって、表示部筐体３の表示部面ＳＦ１を操作部筐体５の操作部面ＳＦ２から引き離す方向Ｄ４への力が更に加えられることにより、回転開閉型携帯電話機１に更なる不正な負荷がかけられた状態となると、ユーザに対して当該不正な負荷を解除するように強く警告するようになされている。この結果、このような不正な負荷が過度にかけられてしまうことを格段と確実に回避することができる。
【００６２】
（３）動作及び効果
以上の構成において、例えば、閉状態にある回転開閉型携帯電話機１を折畳型携帯電話機と勘違いしたユーザが、操作部筐体５を固定しつつ表示部筐体３に対して当該表示部筐体３の操作部被覆面ＳＦ３を操作部筐体５の操作部面ＳＦ２から引離す方向Ｄ２への力を加えることにより、軸回り方向Ｄ１とは異なる方向Ｄ２への不正な負荷がかけられると、当該負荷を解除するようにユーザに対して警告する。これにより、ユーザによってこのような不正な負荷が過度にかけられることを格段と確実に回避することができる。
【００６３】
また本実施の形態においては、開状態時、例えばユーザが操作部筐体５を固定しつつ表示部筐体３に対して当該表示部筐体３の表示部面ＳＦ１を操作部筐体５の操作部面ＳＦ２から引き離す方向Ｄ４への力を僅かに加えることにより、僅かながらも軸回り方向Ｄ１とは異なる方向Ｄ４への不正な負荷がかけられた状態となると、この時点で当該負荷を解除するようにユーザに対して警告し、そして、この警告にもかかわらず当該負荷が更に加えられると、ユーザに対して当該負荷を解除するように更に強く警告する。これにより、ユーザによってこのような不正な負荷が過度にかけられることを一段と確実に回避することができる。
【００６４】
さらに本実施の形態における回転開閉型携帯電話機１では、例えば、開状態時（図７及び図８）、ユーザによって、表示部筐体３の表示部面ＳＦ１と操作部筐体５の操作部面ＳＦ２とを向き合わせる方向Ｄ３への力が加えられる又は表示部筐体３の表示部面ＳＦ１を操作部筐体５の操作部面ＳＦ２から引き離す方向Ｄ４への力が加えられることにより、方向Ｄ３又は方向Ｄ４への不正な負荷がかけられたとき、当該方向Ｄ３又は方向Ｄ４に応じた内容の警告を発する。
【００６５】
つまり、表示部筐体３の表示部面ＳＦ１と操作部筐体５の操作部面ＳＦ２とを向き合わせる方向Ｄ３への負荷がかけられると、表示部２に対して「その方向に閉めないで下さい」という警告文を表示すると共に、スピーカ８から「その方向に閉めないで下さい」という警告音を出力し、表示部筐体３の表示部面ＳＦ１を操作部筐体５の操作部面ＳＦ２から引き離す方向Ｄ４への負荷がかけられると、表示部２に対して「その方向に開けないで下さい」という警告文を表示すると共に、スピーカ８から「その方向に開けないで下さい」という警告音を出力する。
【００６６】
これにより、表示部筐体３に対して方向Ｄ３や方向Ｄ４への力を加えるとこれが不正な負荷となるということをユーザに対して強く印象づけることができるので、この結果、当該不正な負荷が繰り返しかけられることを格段と確実に回避することができる。
【００６７】
以上の構成によれば、回転軸６の軸回り方向Ｄ１への力ではなく、当該軸回り方向Ｄ１とは異なる方向（例えば、方向Ｄ２、Ｄ３又はＤ４）への不正な負荷がかけられると、当該負荷を解除するように警告するようにした。これにより、このような不正な負荷が過度にかけられてしまうことを格段と確実に回避することができる。この結果、不正な負荷による破損を格段と確実に防止し得る回転開閉型携帯電話機１を実現することができる。
【００６８】
（４）他の実施の形態
なお本実施の形態においては、表示部筐体３と操作部筐体５とが回転軸６を介して所定の回転方向（つまり、回転軸６の軸回り方向Ｄ１）へ回転可能に連結された回転開閉型携帯電話機１を携帯端末装置として適用する場合について述べたが、本発明はこれに限らず、例えば、２つの筐体を有し、当該２つの筐体が所定の回転軸を介して所定の回転方向へ回転可能に連結された構成であれば、ノート型パーソナルコンピュータやＰＤＡ（Ｐｅｒｓｏｎａｌ  Ｄｉｇｉｔａｌ  Ａｓｓｉｓｔａｎｃｅ）等を携帯端末装置として適用するようにしても良い。
【００６９】
また本実施の形態においては、第１の筐体（又は第２の筐体）として、表示部２を有する表示部筐体３を適用する場合について述べたが、本発明はこれに限らず、例えば、表示部２を有しない筐体を適用するようにしても良い。
【００７０】
さらに本実施の形態においては、第２の筐体（又は第１の筐体）として、操作部４を有する操作部筐体５を適用する場合について述べたが、本発明はこれに限らず、例えば、操作部４を有しない筐体を適用するようにしても良い。
【００７１】
さらに本実施の形態においては、表示部筐体３及び操作部筐体５に対して加えられた所定の回転方向（つまり、回転軸６の軸回り方向Ｄ１）とは異なる方向（例えば、方向Ｄ２、Ｄ３又はＤ４）への負荷を検知する検知手段として、上側プッシュスイッチ１２Ａ、下側プッシュスイッチ１２Ｂ、上側スイッチ押下部１３Ａ、下側スイッチ押下部１３Ｂ及びスイッチ押下検知部２４を適用する場合について述べたが、本発明はこれに限らず、例えば、上側プッシュスイッチ１２Ａ、下側プッシュスイッチ１２Ｂ、上側スイッチ押下部１３Ａ、下側スイッチ押下部１３Ｂ等の代わりとして、図１３に示すように、表示部筐体３における第１の回転軸挿通孔３Ａの周辺に磁石５０を配設すると共に、操作部筐体５における当該磁石５０と対向する位置にホール素子５１を配設することにより、当該磁石５０及びホール素子５１からなる磁気センサを設けるようにしても良く、この他種々の検知手段を適用するようにしても良い。
【００７２】
ここで、ホール素子５０とは、所定の条件下において磁界の強弱や磁極を判別できる半導体素子である。かくしてＣＰＵ２０は、ホール素子５１を介して磁石５０がホール素子５１に接近したか否かを判断し得、この結果、上側プッシュスイッチ１２Ａ、下側プッシュスイッチ１２Ｂ、上側スイッチ押下部１３Ａ及び下側スイッチ押下部１３Ｂ等を適用したときと同様に回転開閉型携帯電話機１にかけられた不正な負荷を検知することができる。
【００７３】
さらに本実施の形態においては、検知手段によって負荷を検知したとき、所定の警告を発する警告手段として、警告画面４０、４１、４２を表示する表示手段としての表示部２、警告音を発する放音手段としてのスピーカ８、光を発光する発光手段としてのＬＥＤ７を適用する場合について述べたが、本発明はこれに限らず、例えば、表示部筐体２や操作部筐体５を振動させるためのバイブレータ等を適用するようにしても良い。また、表示部２、スピーカ８、ＬＥＤ７、バイブレータの何れか、又は組み合わせによって警告手段を構成するようにしても良い。
【００７４】
【発明の効果】
上述のように本発明によれば、回転方向とは異なる方向への負荷を検知したとき所定の警告を発するようにしたことにより、当該負荷が過度にかけられてしまうことを格段と確実に回避することができる。この結果、不正な負荷による破損を格段と確実に防止し得る携帯端末装置を実現することができる。
【図面の簡単な説明】
【図１】本実施の形態における回転開閉型携帯電話機の全体構成（閉状態）を示す略線図である。
【図２】回転開閉型携帯電話機の全体構成（開状態）を示す略線図である。
【図３】回転開閉型携帯電話機の側断面構造（開状態）を示す略線図である。
【図４】回転開閉型携帯電話機の側断面構造（閉状態）を示す略線図である。
【図５】板ばねの構造を示す略線図である。
【図６】負荷がかけられた回転開閉型携帯電話機の様子（１）を示す略線図である。
【図７】負荷がかけられた回転開閉型携帯電話機の様子（２）を示す略線図である。
【図８】負荷がかけられた回転開閉型携帯電話機の様子（３）を示す略線図である。
【図９】回転開閉型携帯電話機の回路構成を示す略線図である。
【図１０】閉状態時の不正負荷警告処理手順を示すフローチャートである。
【図１１】開状態時の不正負荷警告処理手順を示すフローチャートである。
【図１２】警告画面を示す略線図である。
【図１３】他の実施の形態を示す略線図である。
【符号の説明】
１……回転開閉型携帯電話機、２……表示部、３……表示部筐体、４……操作部、５……操作部筐体、６……回転軸、７……ＬＥＤ、８……スピーカ、１２Ａ、１２Ｂ……プッシュスイッチ、１３Ａ、１３Ｂ……スイッチ押下部、２０……ＣＰＵ、２４……スイッチ押下検知部。
【図１】
2004242036.tif 000003
【図２】
2004242036.tif 000004
【図３】
2004242036.tif 000005
【図４】
2004242036.tif 000006
【図５】
2004242036.tif 000007
【図６】
2004242036.tif 000008
【図７】
2004242036.tif 000009
【図８】
2004242036.tif 000010
【図９】
2004242036.tif 000011
【図１０】
2004242036.tif 000012
【図１１】
2004242036.tif 000013
【図１２】
2004242036.tif 000014
【図１３】
2004242036.tif 000015